(57)【要約】      （修正有）【課題】保持するプレートの枚数が少ないにもかかわらず、大きいサイズ及び多くのサイズの用紙を折畳める用紙折畳み用補助具を提供する。【解決手段】用紙折畳み用補助具は、用紙を所定の縦寸法及び所定の横寸法に折畳むための補助具であって、水平なベース面を有するベース部材１０と、ベース面上に積層できるよう可動する上折プレート２０と、折曲げプレート３０と、折返しプレート４０と、を備える。ベース部材１０は用紙を所定の領域に配置するための位置決め手段を有し、各プレートがベース面上に積層されたとき、上折プレート２０の上端の上折辺が折曲げプレート３０の右端の折曲げ辺及び折返しプレート４０の左端の折返し辺に対して直角をなし、用紙配置領域の下端から上折辺までの寸法が上記の所定の縦寸法に等しく、折曲げプレート３０及び折返しプレート４０のうち少なくとも一方は左右方向に移動可能に構成されている。【選択図】図１
2011001173.tif 000002
【特許請求の範囲】
【請求項１】
用紙を所定の縦寸法及び所定の横寸法に折畳むための用紙折畳み用補助具であって、
水平なベース面を有するベース部材と、
前記ベース面上に積層できるよう可動する上折プレートと、
前記ベース面上に積層できるよう可動する折曲げプレートと、
前記ベース面上に積層できるよう可動する折返しプレートと、を備え、
前記ベース部材は、用紙を所定の用紙配置領域に配置するための位置決め手段を有し、
前記上折プレートは、前記ベース面上に積層されたとき上端となる部分に直線状の上折辺を有し、
前記折曲げプレートは、前記ベース面上に積層されたとき右端となる部分に直線状の折曲げ辺を有し、
前記折返しプレートは、前記ベース面上に積層されたとき左端となる部分に直線状の折返し辺を有し、
前記各プレートが前記ベース面上に積層されたとき、前記上折辺が前記折曲げ辺及び前記折返し辺に対して直角をなし、前記用紙配置領域の下端から前記上折辺までの寸法が前記所定の縦寸法に等しく、
前記折曲げプレート及び前記折返しプレートのうち少なくとも一方は、左右方向に移動可能に構成されている、用紙折畳み用補助具。
【請求項２】
前記折曲げプレート及び前記折返しプレートのうち少なくとも一方は、前記上折プレートの前記上折辺から外方へ又は前記用紙配置領域の下端から外方へと離脱できるよう上下方向にスライド可能に構成されている、請求項１に記載の用紙折畳み用補助具。
【発明の詳細な説明】
【技術分野】
【０００１】
本発明は、用紙を所定の寸法で折畳むための用紙折畳み用補助具に関する。
【背景技術】
【０００２】
用紙を所定の寸法で折畳むための用紙折畳み用補助具として、特許文献１には複数の積層可能なプレートを備えたものが記載されている。この補助具によれば、各プレートで用紙を抑えつつプレートの右辺、左辺、又は上辺に沿って用紙を折込むことで、例えば日本工業規格に記載された折方で用紙を折畳むことができる。
【先行技術文献】
【特許文献】
【０００３】
【特許文献１】特許第４０６０８７９号公報
【発明の概要】
【発明が解決しようとする課題】
【０００４】
上記の補助具の構成によれば、用紙を折込む度にプレートを積層していくことになるが、用紙のサイズが大きくなれば、折込む回数も増えることから、その分プレートの数を増やす必要がある。ところが、プレートが増えると補助具の構造が複雑になり、また、プレートを重ねすぎると折畳み終わった用紙が抜けにくいという問題が生じる。そのため、例えばＡ０サイズなどの大きな用紙は実質的に折畳むことが困難であった。さらに、上記の構成では、例えばＡ２サイズの用紙を折畳む際には使用するプレートが、Ａ１サイズの用紙を折畳む際には使用しないという場合も生じるため、対応できるサイズを増やそうとすれば、その分プレートの数も増える傾向にあった。
【０００５】
そこで本発明は、保持するプレートの枚数が少ないにもかかわらず、大きなサイズ及び多くのサイズの用紙を折畳める用紙折畳み用補助具を提供することを目的としている。
【課題を解決するための手段】
【０００６】
本発明は上述のような事情に鑑みてなされたものであり、本発明にかかる用紙折畳み用補助具は、用紙を所定の縦寸法及び所定の横寸法に折畳むための用紙折畳み用補助具であって、水平なベース面を有するベース部材と、前記ベース面上に積層できるよう可動する上折プレートと、前記ベース面上に積層できるよう可動する折曲げプレートと、前記ベース面上に積層できるよう可動する折返しプレートと、を備え、前記ベース部材は、用紙を所定の用紙配置領域に配置するための位置決め手段を有し、前記上折プレートは、前記ベース面上に積層されたとき上端となる部分に直線状の上折辺を有し、前記折曲げプレートは、前記ベース面上に積層されたとき右端となる部分に直線状の折曲げ辺を有し、前記折返しプレートは、前記ベース面上に積層されたとき左端となる部分に直線状の折返し辺を有し、前記各プレートが前記ベース面上に積層されたとき、前記上折辺が前記折曲げ辺及び前記折返し辺に対して直角をなし、前記用紙配置領域の下端から前記上折辺までの寸法が前記所定の縦寸法に等しく、前記折曲げプレート及び前記折返しプレートのうち少なくとも一方は、左右方向に移動可能に構成されている。
【０００７】
ここで、本発明中の「上」や「右」等の方向を表わす用語は、各部分の相対的な位置関係を示すために使用したものであって、絶対的な方向を示すものではない。つまり、回転等させることにより、各部分が上記のような位置関係になる用紙折畳み用補助具は、全て本発明に含まれる。この点については、下記の発明についても同様である。
【０００８】
上記の構成によれば、折返しプレートを任意の箇所に移動させて使用することにより、用紙を折返す位置が複数あるときであっても一枚の折返しプレートで対応することができる。つまり、上記の構成によれば、用紙を折返す位置が複数あるとき、従来では複数の折返しプレートが必要であったところ、折返しプレートを複数設ける必要がない。さらに、用紙の厚み等に起因して折畳む位置をわずかに調整したいような場合にも対応することができる。
【０００９】
また、上記用紙折畳み用補助具において、前記折曲げプレート及び前記折返しプレートのうち少なくとも一方は、前記上折プレートの前記上折辺から外方へ又は前記用紙配置領域の下端から外方へと離脱できるよう上下方向にスライド可能に構成されるようにしてもよい。
【００１０】
かかる構成によれば、折曲げプレートや折返しプレートを上下方向にスライドさせながら外方へ一旦引き抜くことができるため、折曲げプレートや折返しプレートを簡単に再使用できる。そのため、一枚の用紙を複数回折曲げる場合や複数回折返す場合であっても、必ずしも複数枚の折曲げプレートや折返しプレートを設ける必要が無く、プレートの枚数を減らすことができる。
【発明の効果】
【００１１】
以上の説明から明らかなように、本発明によれば、一枚のプレートに複数枚分のプレートの役割を持たせることができる。よって、本願発明によれば、保持するプレートの枚数が少ないにもかかわらず、大きなサイズ及び多くのサイズの用紙を折畳める用紙折畳み用補助具を提供することができる。
【図面の簡単な説明】
【００１２】
【図１】本願発明の実施形態に係る用紙折畳み用補助具の斜視図である。
【図２】ベース部材上に各プレートが積層されていない状態の用紙折畳み用補助具の斜視図である。
【図３】ベース部材上に全てのプレートが積層されている状態における本願発明の実施形態に係る用紙折畳み用補助具の斜視図であって、（ａ）が開状態を示しており、（ｂ）が閉状態を示している。
【図４】ベース部材上に上折プレートが積層された状態の本願発明の実施形態に係る用紙折畳み用補助具の斜視図である。
【図５】ベース部材上に第１折曲げプレートが積層された状態の本願発明の実施形態に係る用紙折畳み用補助具の斜視図である。
【図６】ベース部材上に折返しプレートが積層された状態の本願発明の実施形態に係る用紙折畳み用補助具の斜視図である。
【図７】図６の折返しプレート（可動部）が移動した状態の図である。
【図８】ベース部材上に第２折曲げプレートが積層された状態の本願発明の実施形態に係る用紙折畳み用補助具の斜視図である。
【図９】ベース部材上に全てのプレートが積層された状態の本願発明の実施形態に係る用紙折畳み用補助具の斜視図である。
【図１０】本願発明の実施形態に係るＡ３サイズの用紙をＡ４サイズに折畳む手順を示した図である。
【図１１−１】本願発明の実施形態に係るＡ２サイズの用紙をＡ４サイズに折畳む手順を示した図である。
【図１１−２】本願発明の実施形態に係るＡ２サイズの用紙をＡ４サイズに折畳む手順を示した図である。
【図１２−１】本願発明の実施形態に係るＡ１サイズの用紙をＡ４サイズに折畳む手順を示した図である。
【図１２−２】本願発明の実施形態に係るＡ１サイズの用紙をＡ４サイズに折畳む手順を示した図である。
【図１３−１】本願発明の実施形態に係るＡ０サイズの用紙をＡ４サイズに折畳む手順を示した図である。
【図１３−２】本願発明の実施形態に係るＡ０サイズの用紙をＡ４サイズに折畳む手順を示した図である。
【図１３−３】本願発明の実施形態に係るＡ０サイズの用紙をＡ４サイズに折畳む手順を示した図である。
【発明を実施するための形態】
【００１３】
以下、本発明に係る実施形態について図を参照して説明する。
【００１４】
まず、本実施形態に係る用紙折畳み用補助具１００の構成について説明する。本実施形態に係る用紙折畳み用補助具１００は、Ａ０〜Ａ３サイズの用紙を所定（Ａ４サイズ）の縦寸法及び所定（Ａ４サイズ）の横寸法に折畳むものである。より具体的には、日本工業規格（ＪＩＳＺ ８３１１）に記載されているいわゆるファイル折りを行う用紙折畳み用補助具である。
【００１５】
図１は、本実施形態に係る用紙折畳み用補助具１００の斜視図である。図１に示すように、用紙折畳み用補助具１００は、ベース部材１０と、上折プレート２０と、第１折曲げプレート３０と、折返しプレート４０と、可動部材５０と、第２折曲げプレート６０と、第３折曲げプレート７０と、狭持部材８０と、を備えている。以下、各構成について順に説明する。なお、以下の説明では、図１におけるベース部材１０の中央からみてベース部材１０の紙面右端、紙面左端、紙面上端、及び紙面下端の方向を、それぞれ右、左、上、及び下として説明する。また、図１におけるベース部材１０に平行な方向を水平方向とし、この水平方向に垂直な方向を鉛直方向として説明する。さらに、用紙を右から左に折込む場合は「折曲げ」、左から右に折込む場合は「折返し」という用語を用いて説明する。
【００１６】
ベース部材１０は、本実施形態に係る用紙折畳み用補助具１００のベースとなる部材である。図２は、ベース部材１０上に各プレートが積層されていない状態の用紙折畳み用補助具１００の斜視図である。図１に示すように、ベース部材１０は、上側に位置する第１ベース部１１と、下側に位置する第２ベース部１２と、これらを連結する連結軸部１３と、から主に構成されている。図３は、ベース部材１０上に全てのプレートが積層されている状態における用紙折畳み用補助具１００の斜視図であって、このうち（ａ）が開状態を示しており、（ｂ）が閉状態を示している。図３に示すように、第２ベース部１２は連結軸部１３を軸として第１ベース部に対して回動可能に構成されている。これにより、使用しない時には、用紙折畳み用補助具１００を図３（ａ）に示す開状態から図３（ｂ）に示す閉状態に変形させることで、全体の大きさを小さくすることができる。以下では、特に断りがない限り、図３（ａ）に示す開状態を前提として説明する。なお、ベース部材１０は、安定性を確保するために金属等の材料を使用しても良く、持ち運びしやすいように比較的軽い樹脂製の板を使用してもよい。
【００１７】
ここで再び図２を参照すると、第１ベース部１１は、水平な第１ベース面１４を有している。用紙を折畳む際には、はじめにこの第１ベース面１４上に用紙を配置する。なお、第１ベース面１４の下端の一部が切欠かれたような形状を有しているが、これは閉状態のとき（図３（ｂ）参照）、この切欠かれた部分に第２ベース面１７を収容するためである。第１ベース面１４上の左側には、第１左端位置決め片１５ａと第２左端位置決め片１５ｂが鉛直方向に立設されている。第１左端位置決め片１５ａと第２左端位置決め片１５ｂとは、いずれも上下方向に延在しており、これらは同一直線上に配置されている。用紙を折畳む際には、はじめに用紙の左端をこの第１左端位置決め片１５ａ及び第２左端位置決め片１５ｂに当接させて横方向の位置決めを行う。つまり、用紙が配置される領域（以下、「用紙配置領域」という）の左端は、この第１左端位置決め片１５ａ及び第２左端位置決め片１５ｂの配設位置に一致する。また、第１ベース部１１は、第１左端位置決め片１５ａ及び第２左端位置決め片１５ｂよりも左側にプレート支持軸１６を有している。プレート支持軸１６は、各プレートを支える軸としての機能を有しており、上下方向に延在している。
【００１８】
また、第１ベース部１１の下方に位置する第２ベース部１２は、上記の第１ベース面１４と同一平面上に広がる第２ベース面１７を有している。第２ベース面１７と第１ベース面１４とは、同一平面上に広がっていることから、第１ベース面１４に用紙が配置されると、第２ベース面１７上にも用紙が配置される。第２ベース面１７上には、第３左端位置決め片１５ｃが鉛直方向に立設されている。第３左端位置決め片１５ｃは、上下方向に延在しており、第１左端位置決め片１５ａ及び第２左端位置決め片１５ｂと同一直線上に配置されている。つまり、第３左端位置決め片１５ｃの配設位置は、用紙配置領域の左端に一致する。なお、第３左端位置決め片１５ｃの鉛直方向先端は右側に向かって水平に伸びている。これは、用紙がそり返っている場合には、そのそり返りを抑えて正しく位置決めできるようにするためである。また、第２ベース面１７の下端部分には、下端位置決め片１５ｄが立設されている。用紙を折畳む際には、用紙の下端をこの下端位置決め片１５ｄに当接させて縦方向の位置決めを行う。つまり、用紙配置領域の下端は、この下端位置決め片１５ｄの配設位置に一致する。また、第２ベース部１２は、第４左端位置決め片１５ｄよりも左側に狭持部材支持軸１８を有している。狭持部材支持軸１８は、狭持部材８０を支える軸としての機能を有しており、上下方向に延在している。
【００１９】
上折プレート２０は、用紙の上方部分を下方へ折込むために使用するプレートである。図４は、ベース部材１０上に上折プレート２０のみが積層された状態の用紙折畳み用補助具１００の斜視図である。なお、各プレートの位置関係及び大きさを理解しやすくするために、図４にはベース部材１０上に配置されたＡ４サイズの用紙Ｐ４もあわせて記載している（同様に、図５〜図９もＡ４サイズの用紙Ｐ４を記載している。）。図４に示すように、上折プレート２０は、左右方向に延在する略長方形の板状の部材であって、プレート支持軸１６を回転軸として可動（回動）することで第１ベース面１４上に積層できるように構成されている。また、上折プレート２０は、第１ベース面１４上に積層されたとき、上端となる部分に直線状の上折辺２１を有している。そして、図４から理解できるように、上折プレート２０が第１ベース面１４上に積層されたとき、下端位置決め片１５ｄから上折辺２１までの上下方向の距離は、Ａ４サイズの用紙Ｐ４の縦寸法に等しい。換言すれば、用紙配置領域の下端から上折辺２１までの寸法がＡ４サイズの用紙Ｐ４の縦寸法に等しい。なお、上折プレート２０自体の横寸法（左右寸法）及び縦寸法（上下寸法）は、それぞれＡ４サイズの横寸法及び縦寸法よりも小さく形成されている。これは、抑えている用紙を使用者が視認できるようにするためである。さらに、上折プレート２０は、上端部分及び下端部分に垂直に立設する連結部材２２、２３を有しており、これらの連結部材２２、２３を介してプレート支持軸１６と連結している。このように連結部材２２、２３を立設させることで、上折プレート２０の剛性を高めることができる。また、上折プレート２０をできるだけ薄くするのが望ましい。用紙を折畳む際に用紙の折目に段がつくのを防止するためである。ただし、強度の問題から上折プレート２０の全体を薄くできない場合は、例えば上折辺２１付近を断面が楔状になるように形成して少なくとも上折辺２１の先端を薄くするのが望ましい。この点は、以下で説明する各プレートも同様である。なお、本実施形態では、上折プレート２０の表面の左上部分に複数の切取印が刻印されている。業界によっては用紙に切込みを入れる場合もあり、この場合は使用者が切取印を目安に用紙を切込むことで、常に同じ位置で切込みを入れることができる。
【００２０】
第１折曲げプレート３０は、用紙の右部分を左側へ折曲げるために使用するプレートである。図５は、ベース部材１０上に上折プレート２０及び第１折曲げプレート３０が積層された状態の用紙折畳み用補助具１００の斜視図である。図５に示すように、第１折曲げプレート３０は、略長方形の板状の部材であって、プレート支持軸１６を回転軸として可動（回動）することで第１ベース面１４上に積層できるように構成されている。また、第１折曲げプレート３０は、第１ベース面１４上に積層されたとき、右端となる部分に直線状の第１折曲げ辺３１を有している。第１折曲げ辺３１は、上折辺２１に対して直角をなしている。そして、図５から理解できるように、第１折曲げプレート３０が第１ベース面１４上に積層されたとき、各左端位置決め片１５ａ〜ｃから第１折曲げ辺３１までの左右方向の距離は、Ａ４サイズの用紙Ｐ４の横縦寸法に等しい。換言すれば、用紙配置領域の左端から第１折曲げ辺３１までの寸法がＡ４サイズの用紙Ｐ４の横寸法に等しい。なお、抑えている用紙を視認できるように、第１折曲げプレート３０の縦寸法（上下寸法）は、Ａ４サイズの用紙Ｐ４の縦寸法よりも小さく形成されている。さらに、第１折曲げプレート３０は、上端部分及び下端部分に垂直に立設する連結部材３２、３３を有しており、これらの連結部材３２、３３を介してプレート支持軸１６と連結している。このように連結部材３２、３３を立設させることで、第１折曲げプレート３０の剛性を高めることができる。なお、第１折曲げプレート３０は、上折辺２１を覆うようにして積層されるが、第１折曲げプレート３０の上折辺２１に相当する部分には横長の視認孔３４が形成されている。これにより、作業者は視認孔３４を介して見える用紙の上端と折曲げる部分の上端を合わせながら折曲ることができるので、より正確に用紙を折曲げることができる。
【００２１】
折返しプレート４０は、用紙の左部分を右側へ折返すために使用するプレートである。図６は、ベース部材１０上に上折プレート２０、第１折曲げプレート３０、及び折返しプレート４０が積層された状態の用紙折畳み用補助具１００の斜視図である。図６に示すように、折返しプレート４０は、略台形の形状を有する板状の部材である。また、折返しプレート４０は、第１ベース面１４上に積層されたとき、左端となる部分に直線状の折返し辺４１を有している。この折返し辺４１は、第１折曲げプレート３０の第１折曲げ辺３１に対して平行に、かつ、上折辺２１に対して直角に構成されている。なお、折返しプレート４０はＡ４サイズの用紙Ｐ４と比べても非常に小さく形成されており、折返し辺４１の下方の一部が用紙に重複するような状態で使用される。
【００２２】
可動部材５０は、折返しプレート４０を可動させるための部材である。図６に示すように、可動部材５０は、左右方向に延在するアーム部５１と、折返しプレート４０に連結するとともにアーム部５１に沿って移動する可動部５２と、から主に構成されている。アーム部５１の左端には筒状のスリーブ部５３が形成されており、このスリーブ部５３の内部をプレート支持軸１６が貫通している。そのため、アーム部５１はプレート支持軸１６を回転軸として可動（回動）することができ、また、上下方向にスライドすることもできる。つまり、アーム部５１は可動部５２を介して折返しプレート４０を第１ベース面１４上に積層することができ、また、折返しプレート４０を上下方向にスライドさせることもできる。可動部材５０が最も上方に位置するとき折返しプレート４０の下端は上折プレート２０の上折辺２１よりも上方にあり、可動部材５０が最も下方に位置するとき折返しプレート４０の下端は上折プレート２０の上折辺２１よりも下方にある。つまり、可動部材５０が最も下方の位置から最も上方の位置にスライドすると、上折プレート２０と重複していた折返しプレート４０が、上折プレート２０の上折辺２１から上方（外方）へと離脱する。
【００２３】
なお、アーム部５１には、左右方向へ伸びるガイド孔５４が形成されている。このガイド孔５４には、可動部５２の摺動片５５がはめ込まれている。可動部５２はアーム部５１の裏面側に位置しており、摺動片５５がガイド孔５４の内部で移動することにより、アーム部５１に沿って移動することができる。図７は、図６の折返しプレート４０（可動部５２）が移動した状態の図である。図６及び図７に示すように、折返しプレート４０は折返し辺４１を第１折曲げプレート３０の第１折曲げ辺３１に対して平行のまま、左右方向に移動できるよう構成されている。また、可動部５２は、アーム部５１の任意の箇所に固定でき、またその固定を解除できる固定・解除機構を有しており、図６及び図７には、その一部である固定解除操作部５６が図示されている。作業者は、この固定解除操作部５６を上下方向から手で摘まむことで可動部５２をアーム部５１に沿って自由に移動させることができ、手を離すことで可動部５２をそのときの位置でアーム部５１に固定することができる。
【００２４】
なお、本実施形態では、可動部５２の摺動片５５の上面に三角形の図形が刻印されているとともに、アーム部５１の表面の２箇所にそれぞれ「Ａ１、Ａ０」、「Ａ２」という文字とその下に逆三角形の図形が刻印されている。そして、アーム部５１の「Ａ１、Ａ０」の下に刻印された逆三角形の頂点位置と摺動片５５の三角形の頂点位置とを合わせることにより、折返しプレート４０の折返し辺４１が日本工業規格（ＪＩＳＺ ８３１１）に記載されているＡ１サイズ及びＡ０サイズの用紙を折返すべき箇所に位置するように構成されており、アーム部５１の「Ａ２」の下に刻印された逆三角形の頂点位置と摺動片５５の三角形の頂点位置とを合わせることにより、折返しプレート４０の折返し辺４１が同じく日本工業規格に記載されたＡ２サイズの用紙を折返すべき箇所に位置するように構成されている。
【００２５】
第２折曲げプレート６０は、用紙の右部分を左側へ折曲げるために使用するプレートである。図８は、ベース部材１０上に上折プレート２０、第１折曲げプレート３０、折返しプレート４０、及び第２折曲げプレート６０が積層された状態の用紙折畳み用補助具１００の斜視図である。図８に示すように、第２折曲げプレート６０は、略長方形の板状の部材であって、プレート支持軸１６を回転軸として可動（回動）することで第１ベース面１４上に積層できるように構成されている。また、第２折曲げプレート６０は、第１ベース面１４上に積層されたとき、右端となる部分に直線状の第２折曲げ辺６１を有している。そして、第２折曲げプレート６０が第１ベース面１４上に積層されたとき、第２折曲げ辺６１は、上折辺２１に対して直角をなし、第１折曲げ辺３１よりも左側（内側）に位置している。なお、抑えている用紙を視認できるように、第２折曲げプレート６０の縦寸法（上下寸法）は、Ａ４サイズの用紙Ｐ４の縦寸法よりも小さく形成されている。さらに、第２折曲げプレート６０は、上端部分及び下端部分に垂直に立設する連結部材６２、６３を有しており、これらの連結部材６２、６３を介してプレート支持軸１６と連結している。このように連結部材６２、６３を立設させることで、第２折曲げプレート６０の剛性を高めることができる。なお、第２折曲げプレート６０は、上折辺２１を覆うようにして積層される。ただし、第２折曲げプレート６０の上折辺２１に相当する部分には横長の視認孔６４が形成されている。作業者は視認孔６４を介して見える用紙の上端と折曲げる部分の上端を合わせながら折曲ることができるので、より正確に用紙を折曲げることができる。
【００２６】
第３折曲げプレート７０は、用紙の右部分を左側へ折曲げるために使用するプレートである。図９は、ベース部材１０上に全てのプレートが積層された状態の用紙折畳み用補助具１００の斜視図である。図９に示すように、第３折曲げプレート７０は、略長方形の板状の部材であって、プレート支持軸１６を回転軸として可動（回動）することで第１ベース面１４上に積層できるように構成されている。また、第３折曲げプレート７０は、第１ベース面１４上に積層されたとき、右端となる部分に直線状の第３折曲げ辺７１を有しており、この第３折曲げ辺７１は、上折辺２１に対して直角をなす。そして、図９から理解できるように、第３折曲げプレート７０が第１ベース面１４上に積層されたとき、各左端位置決め片１５ａ〜ｃから第３折曲げ辺７１までの左右方向の距離は、Ａ４サイズの用紙Ｐ４の横縦寸法に等しい。換言すれば、用紙配置領域の左端から第３折曲げ辺７１までの寸法がＡ４サイズの用紙Ｐ４の横寸法に等しい。さらに、第３折曲げプレート７０は、上端部分及び下端部分に立設する連結部材７２、７３を有しており、これらの連結部材７２、７３を介してプレート支持軸１６と連結している。このように連結部材７２、７３を立設させることで、第３折曲げプレート７０の剛性を高めることができる。なお、第３折曲げプレート７０は、上折辺２１を覆うようにして積層される。ただし、第３折曲げプレート７０の上折辺２１に相当する部分には横長の視認孔７４が形成されている。作業者は視認孔７４を介して見える用紙の上端と折曲げる部分の上端を合わせながら折曲げることができるので、より正確に用紙を折曲げることができる。
【００２７】
狭持部材８０は、用紙を用紙配置領域に狭持して固定するための部材である。図２に示すように、狭持部材８０は、第２ベース部１２の左下部分に位置し、狭持部材支持軸１８を回転軸として回動するように構成されている。狭持部材８０は、裏面に磁石８１を有しており、第２ベース部１２が磁性体の場合、その磁力により用紙を狭持部材８０と第２ベース部１２の間で狭持することができる。第２ベース部１２が磁性体でない場合であっても、狭持部材８０の磁石８１に対応する位置に強磁性の部材を施すことで同様の効果を得ることができる。なお、上記の磁石８１に代えて、あるいは磁石８１に加えてバネ等の付勢手段を用いてもよい。例えば、狭持部材８０を第２ベース部１２側に付勢するようなバネを狭持部材支持軸１８に施せば、狭持部材８０と第２ベース部１２の間で狭持することができる。なお、狭持部材８０は、第３左端位置決め片１５ｃとの干渉を避けるため、第３左端位置決め片１５ｃに対応する部分を切り欠いた形状となっている。
【００２８】
以上が本実施形態にかかる用紙折畳み用補助具１００の構成についての説明である。なお、本実施形態では、第１左端位置決め片１５ａ、第２左端位置決め片１５ｂ、第３左端位置決め片１５ｃ、及び下端位置決め片１５ｄを位置決め手段とし、これらによって用紙を折畳む際に用紙の位置決めが行われる。ただし、位置決め手段はこれらに限られず、例えば各左端位置決め片１５ａ〜ｃに代えて用紙の左端を位置させる目印の直線を第１ベース面１４上に描き、これを位置決め手段としてもよい。いずれにしても、位置決め手段は、用紙の位置決めが行えるような構成であればよい。
【００２９】
次に、本実施形態に係る用紙折畳み用補助具１００の使用方法について説明する。具体的には、Ａ３サイズの用紙Ｐ３をＡ４サイズに折畳む方法、Ａ２サイズの用紙Ｐ２をＡ４サイズに折畳む方法、Ａ１サイズの用紙Ｐ１をＡ４サイズに折畳む方法、及びＡ０サイズの用紙Ｐ０をＡ４サイズに折畳む方法について、図１０〜図１３−３を参照しつつ順に説明する。なお、以下で説明する折畳み方法は、いずれも日本工業規格（ＪＩＳＺ ８３１１）に記載されたいわゆるファイル折りの折り方である。
【００３０】
まず、Ａ３サイズの用紙Ｐ３をＡ４サイズに折畳む手順について説明する。図１０は、Ａ３サイズの用紙Ｐ３をＡ４サイズに折畳む手順を示した図である。まず、図１０（ａ）に示すように、全てのプレートを開いて用紙Ｐ３をベース部材１０上に固定する。具体的には、用紙Ｐ３を第１ベース面１４及び第２ベース面１７（図１参照）上に載置して、その左端を各左端位置決め片１５ａ〜ｃに当接させるとともに、下端を下端位置決め片１５ｄに当接させる。そして、狭持部材８０によって、用紙Ｐ３を第２ベース面１７と狭持部材８０との間で狭持する。その後、図１０（ｂ）に示すように上折プレート２０を第１ベース面１４上に積層し、さらに図１０（ｃ）に示すように第１折曲げプレート３０を第１ベース面１４上に積層する。そして、第１折曲げプレート３０の第１折曲げ辺３１に沿って用紙Ｐ３を折曲げ、さらに、用紙Ｐ３の端部が第１折曲げ辺３１と重なるように用紙Ｐ３を折返す。このとき、第１折曲げプレート３０の視認孔３４を介して上折プレート２０の上折辺２１を視認することができることから（図５参照）、作業者は用紙Ｐ３の上縁を上折プレート２０の上折辺２１に一致するように折曲げれば、用紙Ｐ３の延在方向に対して直角になるよう正確に折曲げることができる。なお、各左端位置決め片１５ａ〜ｃから第１折曲げプレート３０の第１折曲げ辺３１までの寸法がＡ４サイズの横寸法に等しいため、用紙Ｐ３の横寸法はＡ４サイズの横寸法となる。最後に、図１０（ｄ）に示すように狭持部材８０を開いて、用紙折畳み用補助具１００の右側から用紙Ｐ３を抜き取る。以上の手順を経ることにより、Ａ３サイズからＡ４サイズに折畳まれた用紙Ｐ３が完成する。
【００３１】
次に、Ａ２サイズの用紙Ｐ２をＡ４サイズに折畳む手順について説明する。図１１−１及び図１１−２は、Ａ２サイズの用紙Ｐ２をＡ４サイズに折畳む手順を示した図である。はじめに、図１１−１（ａ）に示すように、全てのプレートを開いて用紙Ｐ２をベース部材１０上に固定する。具体的な固定方法は図１０（ａ）の場合と同様である。次に、（ｂ）に示すように上折プレート２０を第１ベース面１４上に積層し、上折プレート２０の上折辺２１に沿って用紙Ｐ２の上方部分を下方に折込む。このとき、用紙Ｐ２の左上部の角もあわせて内側に折込む。下端位置決め片１５ｄから上折プレート２０の上折辺２１までの寸法がＡ４サイズの縦寸法に等しいため、用紙Ｐ２の縦寸法はＡ４サイズの縦寸法となる。その後、図１１−１（ｃ）に示すように、折目を挟むようにして第１折曲げプレート３０を第１ベース面１４に積層し、図１１−１（ｄ）に示すように、第１折曲げプレート３０の第１折曲げ辺３１に沿って用紙Ｐ２を折曲げる。
【００３２】
その後、図１１−２（ｅ）に示すように、折返しプレート４０を第１ベース面１４上に積層し、折返しプレート４０の折返し辺４１に沿って用紙Ｐ２を折返す。このとき、折返しプレート４０の下方部分が用紙Ｐ２に重複した状態となっている。その後、図１１−２（ｆ）に示すように、第２折曲げプレート６０を第１ベース面１４に積層し、第２折曲げプレート６０の第２折曲げ辺６１に沿って用紙Ｐ２を折曲げ、さらに図１１−２（ｇ）に示すように用紙Ｐ２の端部が第１折曲げ辺３１と重なるように用紙Ｐ２を折返す。各左端位置決め片１５ａ〜ｃから第１折曲げプレート３０の第１折曲げ辺３１までの寸法がＡ４サイズの横寸法に等しいため、用紙Ｐ２の横寸法はＡ４サイズの横寸法となる。最後に、図１１−２（ｈ）に示すように狭持部材８０を開くとともに、可動部材５０をプレート支持軸１６に沿って上方にスライドさせて折返しプレート４０を上折辺２１（用紙Ｐ２の上縁）からその外方へと離脱させる。つまり、用紙Ｐ２から折返しプレート４０を上方（外方）へ引き抜く。そして、用紙折畳み用補助具１００の右側から用紙Ｐ２を抜き取る。以上の手順を経ることにより、Ａ２サイズからＡ４サイズに折畳まれた用紙Ｐ２が完成する。
【００３３】
次に、Ａ１サイズの用紙Ｐ１をＡ４サイズに折畳む手順について説明する。図１２−１及び図１２−２は、Ａ１サイズの用紙Ｐ１をＡ４サイズに折畳む手順を示した図である。はじめに、図１２−１（ａ）に示すように、全てのプレートを開いて用紙Ｐ１をベース部材１０上に固定する。その後、図１２−１（ｂ）に示すように上折プレート２０を第１ベース面１４上に積層し、上折プレート２０の上折辺２１に沿って用紙Ｐ２の上方部分を下方に折込む。このとき、用紙Ｐ１の左上部の角を内側に折込む。その後、図１２−１（ｃ）に示すように、第１折曲げプレート３０を第１ベース面１４上に積層し、図１２−１（ｄ）に示すように、第１折曲げプレート３０の第１折曲げ辺３１に沿って用紙Ｐ１を折曲げる。ここまでは、図１１−１（ａ）〜（ｄ）と基本的に同じである。その後、図１２−２（ｅ）に示すように、折返しプレート４０を第１ベース面１４上に積層し、折返しプレート４０の折返し辺４１に沿って用紙Ｐ１を折返す。ここも、図１１−２（ｅ）と基本的に同じであるが、折返しプレート４０（折返し辺４１）の左右方向の位置が図１１−２（ｅ）の場合と異なる。つまり、折返しプレート４０は図１１−２（ｅ）に示す場合よりも左側に位置している。図６及び図７で説明したように、可動部５２はアーム部５１に沿って左右方向に移動できるため、可動部５２に連結する折返しプレート４０もまた左右方向に移動させることができる。なお、本実施形態では、図１１−２（ｅ）の状態のときアーム部５１の「Ａ２」の下に刻印された逆三角形の頂点位置と摺動片５５の三角形の頂点位置が合っており、図１２−２（ｅ）の状態のときアーム部５１の「Ａ１、Ａ０」の下に刻印された逆三角形の頂点位置と摺動片５５の三角形の頂点位置が合っている。
【００３４】
その後、図１２−２（ｆ）に示すように、第３折曲げプレート７０（及び第２折曲げプレート６０）を第１ベース面１４に積層し、第３折曲げプレート７０の第３折曲げ辺７１に沿って用紙Ｐ１を折曲げ、さらに図１２−２（ｇ）に示すように用紙Ｐ１の端部が第３折曲げ辺７１と重なるように用紙Ｐ１を折返す。上述のように、下端位置決め片１５ｄから上折プレート２０の上折辺２１までの寸法がＡ４サイズの縦寸法に等しく、各左端位置決め片１５ａ〜ｃから第３折曲げプレート７０の第３折曲げ辺７１までの寸法がＡ４サイズの横寸法に等しいため、用紙Ｐ２の縦寸法及び横寸法はＡ４サイズの縦寸法及び横寸法となる。最後に、図１２−２（ｈ）に示すように狭持部材８０を開くとともに、用紙Ｐ２から折返しプレート４０を上方（外方）へ引き抜く。そして、用紙折畳み用補助具１００の右側から用紙Ｐ１を抜き取る。以上の手順を経ることにより、Ａ１サイズからＡ４サイズに折畳まれた用紙Ｐ１が完成する。
【００３５】
次に、Ａ０サイズの用紙Ｐ０をＡ４サイズに折畳む手順について説明する。図１３−１、図１３−２、及び図１３−３は、Ａ０サイズの用紙Ｐ０をＡ４サイズに折畳む手順を示した図である。はじめに、図１３−１（ａ）に示すように、全てのプレートを開いて用紙Ｐ０をベース部材１０上に固定する。その後、図１３−１（ｂ）に示すように上折プレート２０を第１ベース面１４上に積層し、上折プレート２０の上折辺２１に沿って用紙Ｐ２の上方部分を下方に折曲げ、さらに用紙Ｐ０の端部が上折辺２１と重なるように用紙Ｐ０を折返す。その後図１３−１（ｃ）に示すように、用紙Ｐ０の折返した部分の左下部の角を内側に折込み、第１折曲げプレート３０を第１ベース面１４に積層し、第１折曲げプレート３０の第１折曲げ辺３１に沿って用紙Ｐ０を折曲げる。その後、図１３−１（ｄ）に示すように、折返しプレート４０を第１ベース面１４に積層し、折返しプレート４０の折返し辺４１に沿って用紙Ｐ１を折返す。なお、折返しプレート４０の位置は、図１２−２（ｅ）の場合（Ａ１サイズの場合）と同じである。その後、図１３−２（ｅ）に示すように、第３折曲げプレート７０（及び第２折曲げプレート６０）を第１ベース面１４に積層し、第３折曲げプレート７０の第３折曲げ辺７１に沿って用紙Ｐ０を折曲げる。
【００３６】
ここまでは、図１２−１（ａ）〜（ｄ）と基本的に同じである。ただし、この後は図１３−２（ｆ）に示すように、用紙Ｐ０はそのままにして、一旦第３折曲げプレート７０（及び第２折曲げプレート６０）並びに折返しプレート４０を用紙Ｐ０から抜き取って、図１３−１（ｃ）と同じような状態に戻す。この時点では用紙Ｐ０の横幅は未だ広いため、例えば従来のように折返しプレート４０が上下方向に移動できないような場合は、折返しプレート４０を用紙Ｐ０から抜き出すのが困難であるのに対し、本実施形態に係る折返しプレート４０は、上方へスライド可能に構成されているため、容易に折返しプレート４０を抜き出すことができる。その後、図１３−２（ｇ）に示すように、折返しプレート４０を第１ベース面１４に再度積層し、折返しプレート４０の折返し辺４１に沿って用紙Ｐ１を折返し、図１３−２（ｈ）に示すように、第３折曲げプレート７０（及び第２折曲げプレート６０）を第１ベース面１４に再度積層し、第３折曲げプレート７０の第３折曲げ辺７１に沿って用紙Ｐ０を折曲げる。このように、図１３−１（ｄ）及び図１３−２（ｅ）と同じような作業を繰り返す。その後、図１３−３（ｉ）に示すように、用紙Ｐ０の端部が第３折曲げ辺７１と重なるように用紙Ｐ０を折返す。上述のように、下端位置決め片１５ｄから上折プレート２０の上折辺２１までの寸法がＡ４サイズの縦寸法に等しく、各左端位置決め片１５ａ〜ｃから第３折曲げプレート７０の第３折曲げ辺７１までの寸法がＡ４サイズの横寸法に等しいため、用紙Ｐ０の縦寸法及び横寸法はＡ４サイズの縦寸法及び横寸法となる。最後に、図１３−３（ｊ）に示すように狭持部材８０を開くとともに、可動部材５０をプレート支持軸１６に沿って上方にスライドさせて折返しプレート４０を上折辺２１からその外方へと離脱させる。そして、用紙折畳み用補助具１００の右側から用紙Ｐ０を引き抜く。以上の手順を経ることにより、Ａ０サイズからＡ４サイズに折畳まれた用紙Ｐ０が完成する。
【００３７】
以上が、本実施形態に係る用紙折畳み用補助具１００の説明である。以上説明した本実施形態によれば、折返しプレート４０を左右方向に移動させることができるため、従来例えばＡ２サイズ用とＡ１サイズ用といったようにそれぞれに必要であった折返しプレートを一枚に集約することができる。また、本実施形態によれば、折返しプレート４０を用紙から抜き取って再使用することが容易に行えるため、折返しプレートが再使用されない場合に必要であった折返しプレートの一部を省略することができる。よって、本実施形態によれば、プレートの枚数が少ないにもかかわらず、大きいサイズ及び多くのサイズの用紙を折畳むことができる。
【００３８】
なお、以上では、折返しプレート４０が左右方向に移動できるとともに、上折プレートの上折辺から外方（上方）へと離脱できるよう上下方向にスライド可能に構成されている場合について説明したが、これに代えて又はこれに加えて同様の構成を有する折曲げプレートを設けても良い。つまり、左右方向に移動できるとともに、上折プレートの上折辺から外方（上方）へと離脱できるよう上下方向にスライド可能に構成された折曲げプレートを設けるようにしてもよい。かかる構成によれば、本実施形態の第１折曲げプレート３０、第２折曲げプレート６０、及び第３折曲げプレート７０を１つの折曲げプレートに集約することができる。さらにこの場合、上記の折返しプレートと折曲げプレートを一体化してもよい。つまり、折返しプレートと折曲げプレートとが一体化したプレートを左右方向に移動できるとともに、上折プレートの上折辺から外方（上方）へと離脱できるよう上下方向にスライド可能に構成してもよい。この場合、例えば本実施形態では台形に形成された折返しプレート４０を長方形にするとともに、左側の辺を折返し用の辺とし、右側の辺を折曲げ用の辺とすれば実現可能である。かかる構成によれば、プレートをさらに省略することができる。
【００３９】
また、以上では、折返しプレート４０が上折プレート２０の上折辺２１から外方（上方）へと離脱できるよう上下方向にスライド可能に構成されている場合について説明したが、折返しプレート４０が用紙配置領域の下端から外方へと離脱できるよう上下方向にスライド可能に構成してもよい。かかる構成であっても、折返しプレート４０を用紙から抜き取って、折返しプレート４０を再使用等することができる。
【００４０】
以上、本発明に係る実施形態について図を参照して説明したが、具体的な構成はこれらの実施形態に限られるものではなく、この発明の要旨を逸脱しない範囲の設計の変更等があっても本発明に含まれる。
【産業上の利用可能性】
【００４１】
以上のように、本発明によれば、有するプレートの枚数が少ないにもかかわらず、多くのサイズの用紙を折畳める用紙折畳み用補助具を提供することができる。よって、用紙折畳み用補助具の分野において有益である。
【符号の説明】
【００４２】
１０  ベース部材
１４  第１ベース面
１５ａ  第１左端位置決め片
１５ｂ  第２左端位置決め片
１５ｃ  第３左端位置決め片
１５ｄ  下端位置決め片
１７  第２ベース面
２０  上折プレート
２１  上折辺
３０  第１折曲げプレート
３１  第１折曲げ辺
４０  折返しプレート
４１  折返し辺
５０  可動部材
５１  アーム部
５２  可動部
６０  第２折曲げプレート
６１  第２折曲げ辺
７０  第３折曲げプレート
７１  第３折曲げ辺
１００  用紙折畳み用補助具
Ｐ０〜Ｐ４  用紙
【図１】
2011001173.tif 000003
【図２】
2011001173.tif 000004
【図３】
2011001173.tif 000005
【図４】
2011001173.tif 000006
【図５】
2011001173.tif 000007
【図６】
2011001173.tif 000008
【図７】
2011001173.tif 000009
【図８】
2011001173.tif 000010
【図９】
2011001173.tif 000011
【図１０】
2011001173.tif 000012
【図１１−１】
2011001173.tif 000013
【図１１−２】
2011001173.tif 000014
【図１２−１】
2011001173.tif 000015
【図１２−２】
2011001173.tif 000016
【図１３−１】
2011001173.tif 000017
【図１３−２】
2011001173.tif 000018
【図１３−３】
2011001173.tif 000019